【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
ネットワーク中の通信のためのチャネルアクセスパラメータを選択するための方法であって、前記方法が、
第１のワイヤレスデバイスにおいて、マルチユーザアップリンク送信を送信する能力を有しないワイヤレスデバイスの第１のサブセットとの通信のための第１の拡張分散チャネルアクセス（ＥＤＣＡ）パラメータを選択することと、
前記第１のワイヤレスデバイスにおいて、ワイヤレスデバイスの第２のサブセットとの通信のための第２のＥＤＣＡパラメータを選択することと、ここにおいて、前記第２のＥＤＣＡパラメータを選択することが、
スケジュールドアップリンク送信を受信する前記第１のワイヤレスデバイスの能力と、
マルチユーザアップリンク送信を送信する前記ワイヤレスデバイスの第２のサブセットの能力と
に基づき、
前記第２のＥＤＣＡパラメータを含む情報要素を生成することと、
前記ワイヤレスデバイスの第２のサブセットのみによって復号可能であり、前記ワイヤレスデバイスの第１のサブセットによって復号可能でない物理レイヤコンバージェンスプロシージャ（ＰＬＣＰ）プロトコルデータユニット（ＰＰＤＵ）中で前記情報要素を送信することと
を備える、方法。
【請求項２】
前記選択された第２のＥＤＣＡパラメータが性能特性を満たすかどうかを決定すること、
前記選択された第２のＥＤＣＡが前記性能特性を満たさないとき、第３のＥＤＣＡパラメータを選択すること
をさらに備える、請求項１に記載の方法。
【請求項３】
前記第３のＥＤＣＡパラメータを選択することが、
前記ワイヤレスデバイスの第２のサブセットの第２のワイヤレスデバイスから前記第１のワイヤレスデバイスへの前の送信、または
前記ワイヤレスデバイスの第２のサブセットに送信された前記情報要素に対する即時応答を受信すること、または
前記ワイヤレスデバイスの第２のサブセットに前記情報要素を複数回送信した後に、前記ワイヤレスデバイスの第２のサブセットの第２のワイヤレスデバイスから応答を受信することに失敗すること
に基づく、請求項２に記載の方法。
【請求項４】
前記情報要素が可変長のビットを備え、前記可変長のビットが、サービスプロバイダおよび信号のタイプのうちの少なくとも１つに基づく、請求項１に記載の方法。
【請求項５】
前記第２のＥＤＣＡパラメータを選択することが、前記ワイヤレスデバイスの第２のサブセットのタイプに基づいて前記第２のＥＤＣＡパラメータを選択することをさらに備える、請求項１に記載の方法。
【請求項６】
前記第１および第２のＥＤＣＡパラメータが、最小競合ウィンドウ（ＣＷｍｉｎ）と、最大競合ウィンドウ（ＣＷｍａｘ）と、送信機会（ＴＸＯＰ）と、送信機会限度（ＴＸＯＰ限度）と、アービトレーションフレーム間間隔（ＡＩＦＳ）とのうちの少なくとも１つを備える、請求項１に記載の方法。
【請求項７】
前記第１のワイヤレスデバイスが前記第２のＥＤＣＡパラメータに前記第１のワイヤレスデバイスと通信するための１つまたは複数のルールを付加する、請求項１に記載の方法。
【請求項８】
前記情報要素が、要素識別フィールドと、長さフィールドと、別の情報フィールドと、拡張フィールドとのうちの少なくとも１つを含む、請求項１に記載の方法。
【請求項９】
ワイヤレス通信のための装置であって、
第１のワイヤレスデバイスにおいて、マルチユーザアップリンク送信を送信する能力を有しないワイヤレスデバイスの第１のサブセットとの通信のための第１の拡張分散チャネルアクセス（ＥＤＣＡ）パラメータを選択するための手段と、
前記第１のワイヤレスデバイスにおいて、ワイヤレスデバイスの第２のサブセットとの通信のための第２のＥＤＣＡパラメータを選択するための手段と、ここにおいて、前記第２のＥＤＣＡパラメータを選択することが、
スケジュールドアップリンク送信を受信する前記第１のワイヤレスデバイスの能力と、
マルチユーザアップリンク送信を送信する前記ワイヤレスデバイスの第２のサブセットの能力と
に基づき、
前記第２のＥＤＣＡパラメータを含む情報要素を生成するための手段と、
前記ワイヤレスデバイスの第２のサブセットのみによって復号可能であり、前記ワイヤレスデバイスの第１のサブセットによって復号可能でない物理レイヤコンバージェンスプロシージャ（ＰＬＣＰ）プロトコルデータユニット（ＰＰＤＵ）中で前記情報要素を送信するための手段と
を備える、装置。
【請求項１０】
前記第２のＥＤＣＡパラメータを選択することが、前記ワイヤレスデバイスの第２のサブセットのタイプに基づいて前記第２のＥＤＣＡパラメータを選択することをさらに備える、請求項９に記載の装置。
【請求項１１】
前記第１および第２のＥＤＣＡパラメータが、最小競合ウィンドウ（ＣＷｍｉｎ）と、最大競合ウィンドウ（ＣＷｍａｘ）と、送信機会（ＴＸＯＰ）と、送信機会限度（ＴＸＯＰ限度）と、アービトレーションフレーム間間隔（ＡＩＦＳ）とのうちの少なくとも１つを備える、請求項９に記載の装置。
【請求項１２】
前記第１のワイヤレスデバイスが前記第２のＥＤＣＡパラメータに前記第１のワイヤレスデバイスと通信するための１つまたは複数のルールを付加する、請求項９に記載の装置。
【請求項１３】
前記情報要素が、要素識別フィールド、長さフィールド、別の情報フィールド、または拡張フィールドのうちの少なくとも１つを含む、請求項９に記載の装置。
【請求項１４】
実行されたとき、装置に、請求項１ないし８のいずれかに記載の方法を実行させるコードを備えた、コンピュータ可読媒体。
【手続補正２】
【補正対象書類名】明細書
【補正対象項目名】００９０
【補正方法】変更
【補正の内容】
【００９０】
[0094]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
［Ｃ１］  ネットワーク中の通信のためのチャネルアクセスパラメータを選択するための方法であって、前記方法が、第１のワイヤレスデバイスにおいて、第２のワイヤレスデバイスとの通信のための拡張分散チャネルアクセス（ＥＤＣＡ）パラメータを選択することを備え、ここにおいて、前記ＥＤＣＡパラメータを選択することが、
スケジュールドアップリンク送信を受信する前記第１のワイヤレスデバイスの能力と、  マルチユーザアップリンク送信を送信する前記第２のワイヤレスデバイスの能力と
に基づく、方法。
［Ｃ２］  前記第１のワイヤレスデバイスがアクセスポイントと局とのうちの一方であり、前記第２のワイヤレスデバイスが前記アクセスポイントと前記局とのうちの他方である、Ｃ１に記載の方法。
［Ｃ３］  前記第２のワイヤレスデバイスに前記選択されたＥＤＣＡパラメータのインジケーションを送信することと、
前記選択されたＥＤＣＡパラメータが性能特性を満たすかどうかを決定することと、
前記選択されたＥＤＣＡが前記性能特性を満たさないとき、第２のＥＤＣＡパラメータを選択することと
をさらに備える、Ｃ１に記載の方法。
［Ｃ４］  前記第２のＥＤＣＡパラメータを選択することが、前記第２のワイヤレスデバイスから前記第１のワイヤレスデバイスへの前の送信に基づく、Ｃ３に記載の方法。
［Ｃ５］  前記第２のＥＤＣＡパラメータを選択することが、前記第２のワイヤレスデバイスに送信された前記インジケーションに対する即時応答を受信することに基づく、Ｃ３に記載の方法。
［Ｃ６］  前記第２のＥＤＣＡパラメータを選択することが、前記第２のワイヤレスデバイスに前記ＥＤＣＡパラメータの前記選択のインジケーションを複数回送信した後に、前記第２のワイヤレスデバイスから応答を受信することに失敗することに基づく、Ｃ３に記載の方法。
［Ｃ７］  情報要素を生成することをさらに備え、前記情報要素が可変長のビットを備え、ここにおいて、前記可変長のビットが、サービスプロバイダおよび信号のタイプのうちの少なくとも１つに基づく、Ｃ１に記載の方法。
［Ｃ８］  前記ＥＤＣＡパラメータを選択することが、前記第２のワイヤレスデバイスのタイプに基づいて前記ＥＤＣＡパラメータを選択することをさらに備える、Ｃ１に記載の方法。
［Ｃ９］  前記第２のワイヤレスデバイスをワイヤレスデバイスのサブセットに分類することをさらに備え、ワイヤレスデバイスの前記サブセットがワイヤレスデバイスの複数のサブセットのうちの１つであり、ここにおいて、前記分類が、前記第２のワイヤレスデバイスのタイプと前記第２のワイヤレスデバイスのマルチユーザアップリンク能力とに基づく、Ｃ１に記載の方法。
［Ｃ１０］  前記第１のワイヤレスデバイスにおいて、ワイヤレスデバイスの前記サブセットに基づいて前記第２のワイヤレスデバイスとの通信のための前記ＥＤＣＡパラメータを選択することをさらに備える、Ｃ９に記載の方法。
［Ｃ１１］  前記ＥＤＣＡパラメータが、最小競合ウィンドウ（ＣＷｍｉｎ）と、最大競合ウィンドウ（ＣＷｍａｘ）と、送信機会（ＴＸＯＰ）と、送信機会限度（ＴＸＯＰ限度）と、アービトレーションフレーム間間隔（ＡＩＦＳ）とのうちの少なくとも１つを備える、Ｃ１に記載の方法。
［Ｃ１２］  前記第１のワイヤレスデバイスが前記ＥＤＣＡパラメータに前記第１のワイヤレスデバイスのための１つまたは複数のルールを付加する、Ｃ１に記載の方法。
［Ｃ１３］  前記第２のワイヤレスデバイスが、シングルユーザアップリンク送信を送るように、前記マルチユーザアップリンク送信を介して前記第１のワイヤレスデバイスによってトリガされる、Ｃ１に記載の方法。
［Ｃ１４］  前記第２のワイヤレスデバイスが非高スループットモードと超高スループットモードとのうちの少なくとも１つで動作する、Ｃ１３に記載の方法。
［Ｃ１５］  前記第１のワイヤレスデバイスによって、情報要素を介して前記ＥＤＣＡパラメータを広告することをさらに備え、ここにおいて、前記情報要素が、要素識別フィールドと、長さフィールドと、別の情報フィールドと、拡張フィールドとのうちの少なくとも１つを含む、Ｃ１に記載の方法。
［Ｃ１６］  第１のワイヤレスデバイスにおいて、第２のワイヤレスデバイスとの通信のための拡張分散チャネルアクセス（ＥＤＣＡ）パラメータを選択するように構成された処理システムを備え、ここにおいて、前記ＥＤＣＡパラメータを選択することが、
スケジュールドアップリンク送信アップリンク送信を受信する前記第１のワイヤレスデバイスの能力と、
マルチユーザアップリンク送信を送信する前記第２のワイヤレスデバイスの能力とに基づく、ワイヤレス通信のための装置。
［Ｃ１７］  前記第２のワイヤレスデバイスに前記ＥＤＣＡパラメータの前記選択のインジケーションを送信するように構成された送信機をさらに備える、Ｃ１６に記載の装置。
［Ｃ１８］  前記処理システムが、スケジュールドアップリンク送信アップリンク送信を受信する前記第１のワイヤレスデバイスの能力と、マルチユーザアップリンク送信を送信する前記第２のワイヤレスデバイスの能力とに基づいて前記ＥＤＣＡパラメータを選択するようにさらに構成された、Ｃ１６に記載の装置。
［Ｃ１９］  前記ＥＤＣＡパラメータを選択することが、前記第２のワイヤレスデバイスのタイプに基づいて前記ＥＤＣＡパラメータを選択することをさらに備える、Ｃ１６に記載の装置。
［Ｃ２０］  前記処理システムが、前記第２のワイヤレスデバイスをワイヤレスデバイスのサブセットに分類するようにさらに構成され、ワイヤレスデバイスの前記サブセットがワイヤレスデバイスの複数のサブセットのうちの１つであり、ここにおいて、前記分類が、前記第２のワイヤレスデバイスのタイプと前記第２のワイヤレスデバイスのマルチユーザアップリンク能力とに基づく、Ｃ１６に記載の装置。
［Ｃ２１］  前記ＥＤＣＡパラメータが、ワイヤレスデバイスの前記サブセットに基づいて選択される、Ｃ２０に記載の装置。
［Ｃ２２］  前記ＥＤＣＡパラメータが、最小競合ウィンドウ（ＣＷｍｉｎ）と、最大競合ウィンドウ（ＣＷｍａｘ）と、送信機会（ＴＸＯＰ）と、送信機会限度（ＴＸＯＰ限度）と、アービトレーションフレーム間間隔（ＡＩＦＳ）とのうちの少なくとも１つを備える、Ｃ１６に記載の装置。
［Ｃ２３］  前記第１のワイヤレスデバイスが前記ＥＤＣＡパラメータに前記第１のワイヤレスデバイスのための１つまたは複数のルールを付加する、Ｃ１６に記載の装置。
［Ｃ２４］  前記第２のワイヤレスデバイスが、シングルユーザアップリンク送信を送るように、前記マルチユーザアップリンク送信を介して前記第１のワイヤレスデバイスによってトリガされる、Ｃ１６に記載の装置。
［Ｃ２５］  前記第２のワイヤレスデバイスが非高スループットモードと超高スループットモードとのうちの少なくとも１つで動作する、Ｃ２４に記載の装置。
［Ｃ２６］  前記処理システムが、前記第１のワイヤレスデバイスによって、情報要素を介して前記ＥＤＣＡパラメータを広告するようにさらに構成され、ここにおいて、前記情報要素が、要素識別フィールドと、長さフィールドと、別の情報フィールドと、拡張フィールドとのうちの少なくとも１つを含む、Ｃ１６に記載の装置。
［Ｃ２７］  実行されたとき、装置に、第１のワイヤレスデバイスにおいて、第２のワイヤレスデバイスとの通信のための拡張分散チャネルアクセス（ＥＤＣＡ）パラメータを選択させるコードを備える非一時的コンピュータ可読媒体であって、ここにおいて、前記ＥＤＣＡパラメータを選択することが、
スケジュールドアップリンク送信を受信する前記第１のワイヤレスデバイスの能力と、  マルチユーザアップリンク送信を送信する前記第２のワイヤレスデバイスの能力と
に基づく、非一時的コンピュータ可読媒体。
［Ｃ２８］  実行されたとき、前記装置に、前記第１のワイヤレスデバイスによって、情報要素を介して前記ＥＤＣＡパラメータを広告させるコードをさらに備え、ここにおいて、前記情報要素が、要素識別フィールドと、長さフィールドと、別の情報フィールドと、拡張フィールドとのうちの少なくとも１つを含む、Ｃ２７に記載の非一時的コンピュータ可読媒体。
［Ｃ２９］  実行されたとき、前記装置に、前記第２のワイヤレスデバイスに前記ＥＤＣＡパラメータの前記選択のインジケーションを送信させるコードをさらに備える、Ｃ２７に記載の非一時的コンピュータ可読媒体。
［Ｃ３０］  実行されたとき、前記装置に、前記第２のワイヤレスデバイスをワイヤレスデバイスのサブセットに分類させるコードをさらに備え、ワイヤレスデバイスの前記サブセットがワイヤレスデバイスの複数のサブセットのうちの１つであり、ここにおいて、前記分類が、前記第２のワイヤレスデバイスのタイプと前記第２のワイヤレスデバイスのマルチユーザアップリンク能力とに基づく、Ｃ２７に記載の非一時的コンピュータ可読媒体。